(57)【要約】【課題】板金に天板を十分な強度で垂直に取り付ける。【解決手段】  インクジェット式記録装置１０のメインフレーム１００であって、端部１０４にメインフレーム１００と平行にタッピングネジ２００が螺合されるネジ保持部１０２を有し、ネジ保持部１０２は、端部１０４からタッピングネジ２００が挿入される方向に沿った順に、メインフレーム１００から突出して押し曲げられた第１のネジ受け部１１０、メインフレーム１００における第１のネジ受け部１１０の裏面１１２側に円弧状に突出して押し曲げられた第２のネジ受け部１２０、および、第１のネジ受け部１１０と同じ側へ向けて円弧状に突出して押し曲げられた第３のネジ受け部１３０を備えた。【選択図】図３
2005090652.tif 000002
【特許請求の範囲】
【請求項１】
板金であって、
端部に前記板金と平行にネジが螺合されるネジ保持部を有し、
前記ネジ保持部は、前記端部から前記ネジが挿入される方向に沿った順に、前記板金から突出して押し曲げられた第１のネジ受け部、前記板金における前記第１のネジ受け部の裏面側に円弧状に突出して押し曲げられた第２のネジ受け部、および、前記第１のネジ受け部と同じ側へ向けて円弧状に突出して押し曲げられた第３のネジ受け部を備えた板金。
【請求項２】
前記第１のネジ受け部は円弧状に突出して押し曲げられており、
前記第１のネジ受け部の内径は、前記第２のネジ受け部および前記第３のネジ受け部の内径よりも大きい請求項１に記載の板金。
【請求項３】
前記第２のネジ受け部の内径は、前記第３のネジ受け部の内径よりも大きく、前記第１のネジ受け部の内径よりも小さい請求項２に記載の板金。
【請求項４】
前記第１のネジ受け部は、前記板金から、前記第２のネジ受け部および前記第３のネジ受け部よりも大きく突出して押し曲げられている請求項１に記載の板金。
【請求項５】
前記第２のネジ受け部は、前記板金から、前記第３のネジ受け部よりも大きく突出し、前記第１のネジ受け部よりも小さく突出して押し曲げられている請求項４に記載の板金。
【請求項６】
前記第３のネジ受け部は、前記第１のネジ受け部に近い側が、前記板金から大きく突出して押し曲げられることにより、前記板金に対して傾いている請求項３または５に記載の板金。
【請求項７】
前記ネジが挿入される方向について前記第２のネジ受け部が前記ネジと噛み合っている幅は、前記ネジが挿入される方向について前記第１のネジ受け部または前記第３のネジ受け部が前記ネジと噛み合っている幅よりも大きい請求項１に記載の板金。
【請求項８】
前記ネジが挿入される方向について前記第２のネジ受け部が前記ネジと噛み合っている幅は、前記ネジが挿入される方向について前記第１のネジ受け部が前記ネジと噛み合っている幅および前記第３のネジ受け部が前記ネジと噛み合っている幅の合計に略等しい請求項７に記載の板金。
【請求項９】
前記板金の前記端部に、前記ネジにより前記板金と垂直な天板を取り付けるべく、前記板金には、前記天板に挿入される位置決め用の突起が前記板金の前記端部に前記ネジ保持部と隣接して設けられている請求項１に記載の板金。
【請求項１０】
前記第１から第３のネジ受け部は、タッピングネジがねじ込まれることによりネジ溝が切られる請求項１から９のいずれかに記載の板金。
【請求項１１】
請求項１から１０のいずれかに記載の板金をメインフレームとして用いた液体噴射装置。
【請求項１２】
前記ネジ保持部に前記ネジが螺合されることにより前記板金と垂直に取り付けられた天板を更に備える請求項１１に記載の液体噴射装置。
【発明の詳細な説明】
【技術分野】
【０００１】
本発明は、板金およびこの板金を用いた液体噴射装置に関する。特に、本発明は、天板を垂直に取り付ける板金、並びにこれら天板および板金を用いた液体噴射装置に関する。
【背景技術】
【０００２】
液体噴射装置の一例としてのインクジェット式記録装置は、板金により形成されたメインフレームと、このメインフレームの長手方向に移動するキャリッジを支持する天板としての排紙フレームを有する。この排紙フレームは、メインフレームに対して垂直に取り付けられる。
【０００３】
ここで、板金に天板を取り付ける方法として、板金を折り曲げて天板を支持する支持部を設け、天板および支持部にネジを螺合させる方法が知られている。また、板金を折り曲げる支持部を設けない方法として、板金においてネジが挿入される方向に沿った切り欠きにより、円周方向において互いに離間して設けられているネジ保持部に、ネジを螺合させて天板を板金に取り付ける方法がある（例えば、特許文献１および２を参照）。
【特許文献１】特開平７−１００５６７号公報（第６図）
【特許文献２】特開平８−２５７６６３号公報（第８図）
【発明の開示】
【発明が解決しようとする課題】
【０００４】
しかしながら、板金を折り曲げた支持部を設ける方法においては、支持部の折り曲げ誤差により、天板を板金に対して垂直に取り付けることが困難であるという課題がある。また、円周方向において互いに離間したネジ保持部を用いる方法においては、板金の板厚が薄い場合には、十分な締め付けの力を得ることができないという課題がある。
【課題を解決するための手段】
【０００５】
上記課題を解決するために、本発明の第１の形態においては、板金であって、端部に板金と平行にネジが螺合されるネジ保持部を有し、ネジ保持部は、端部からネジが挿入される方向に沿った順に、板金から突出して押し曲げられた第１のネジ受け部、板金における第１のネジ受け部の裏面側に円弧状に突出して押し曲げられた第２のネジ受け部、および、第１のネジ受け部と同じ側へ向けて円弧状に突出して押し曲げられた第３のネジ受け部を備えた。これにより、板金の板厚が薄い場合でも、従来のようにネジの円周方向において互いに離間して設けられているネジ保持部に比べ、このネジ保持部においてはネジによる締め付けの力を大きくすることができる。
【０００６】
上記板金において、第１のネジ受け部は円弧状に押し曲げられており、第１のネジ受け部の内径は、第２のネジ受け部および第３のネジ受け部の内径よりも大きくてもよい。さらに、第２のネジ受け部の内径は、第３のネジ受け部の内径よりも大きく、第１のネジ受け部の内径よりも小さくてもよい。これにより、ネジがネジ保持部に挿入される場合に、第１のネジ受け部は、ネジをガイドしてネジを挿入しやすくすると共に、ネジを板金の面方向に対して平行に立てることができる。
【０００７】
上記板金において、第１のネジ受け部は、板金から、第２のネジ受け部および第３のネジ受け部よりも大きく突出して押し曲げられていてもよい。さらに、第２のネジ受け部は、板金から、第３のネジ受け部よりも大きく突出し、第１のネジ受け部よりも小さく突出して押し曲げられていてもよい。これにより、ネジがネジ保持部に挿入される場合に第１のネジ受け部がネジをガイドし、ネジを板金の面方向に対して平行に立てることができる。
【０００８】
上記板金において、第３のネジ受け部は、第１のネジ受け部に近い側が、板金から大きく突出して押し曲げられることにより、板金に対して傾いていてもよい。これにより、ネジ保持部からの力を受けてネジが曲がる方向に沿ってネジ受け部が配されているので、ネジ保持部に螺合されたネジを板金の面方向に対して平行に保持することができる。
【０００９】
上記板金において、ネジが挿入される方向について第２のネジ受け部がネジと噛み合っている幅は、ネジが挿入される方向について第１のネジ受け部または第３のネジ受け部がネジと噛み合っている幅よりも大きくてもよい。さらに、ネジが挿入される方向について第２のネジ受け部がネジと噛み合っている幅は、ネジが挿入される方向について第１のネジ受け部がネジと噛み合っている幅および第３のネジ受け部がネジと噛み合っている幅の合計に略等しくてもよい。これにより、ネジ保持部に螺合されたネジにかかる力を均等にして、ネジ保持部に螺合されたネジを板金の面方向に対して平行に保持することができる。
【００１０】
上記板金において、板金の端部に、ネジにより板金と垂直な天板を取り付けるべく、板金には、天板に挿入される位置決め用の突起が板金の端部にネジ保持部と隣接して設けられていてもよい。これにより、板金の一部を垂直に曲げた支持面を設けて天板をネジ留めにより支持する場合に比べ、板金に対して天板をより精度よく垂直に取り付けることができる。
【００１１】
上記板金において、第１から第３のネジ受け部は、タッピングネジがねじ込まれることによりネジ溝が切られてもよい。これにより、板金のネジ保持部における第１から第３のネジ受け部にあらかじめネジ溝を加工することなく、ネジを板金の面方向に平行に立てて螺合することができる。
【００１２】
液体噴射装置において、上記板金がメインフレームとして用いられてもよい。上記液体噴射装置において、天板を更に備えてもよい。これにより、液体噴射装置において、メインフレームに対して天板を精度よく垂直に取り付けることができる。
【００１３】
なお、上記の発明の概要は、本発明の必要な特徴の全てを列挙したものではなく、これらの特徴群のサブコンビネーションもまた、発明となりうる。
【発明を実施するための最良の形態】
【００１４】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１５】
図１は、本発明の実施形態に係るインクジェット式記録装置１０の斜視図である。図１において、説明のためカバーおよび下部フレームが省略された概略図が示されている。図１に示すインクジェット式記録装置１０は、鉛直方向に立ち上がったメインフレーム１００と、図１においてメインフレーム１００より奥側に配されて被記録物を載置する載置トレイ６０と、載置トレイ６０に載置さている被記録物を搬送する搬送部５０と、搬送部５０により搬送された被記録物の上にインクを吐出して記録を行う記録ヘッド３０と、記録ヘッド３０が取り付けられ、被記録物に対して往復運動するキャリッジ２０と、キャリッジ２０に固定され、メインフレーム１００の長手方向に張り渡されたタイミングベルト４０と、メインフレーム１００に垂直に取り付けられ水平面においてキャリッジ２０における下方の足２２を支持する排紙フレーム３００とを備える。
【００１６】
図１に示すインクジェット式記録装置１０において、搬送部５０は、載置トレイ６０に載置された被記録物を、メインフレーム１００を通ってキャリッジ２０の下方の記録領域に搬送する。記録領域に搬送された被記録物に対して記録ヘッド３０がインクを吐出して記録を行う。この場合に、記録領域において、記録ヘッド３０を搭載したキャリッジ２０は、上下方向について排紙フレーム３００に支持されながら、タイミングベルト４０の回転駆動により被記録物の搬送方向と直交する方向に往復運動することにより、被記録物の上面の全面に記録を行う。
【００１７】
図２は、メインフレーム１００の斜視図である。メインフレーム１００は、本発明における板金の一例であり、金属の板を打ち抜きおよび折り曲げることにより形成される。メインフレーム１００は、長手方向の両端が被記録物の搬送方向の下流側に折り曲げられることにより端部１０４、１０６が設けられ、上方から見た場合にコの字の形状を有する。
【００１８】
図３は、図２の端部１０４の一部Ａを拡大した拡大斜視図である。メインフレーム１００の端部１０４は、端部１０４においてメインフレーム１００の面方向と平行に後述のタッピングネジ２００が螺合されるネジ保持部１０２、および、このネジ保持部１０２に隣接して設けられ、排紙フレーム３００に挿入されて排紙フレーム３００をメインフレーム１００に対して位置決めする位置決め突起１４０を有する。なお、メインフレーム１００の端部１０６もネジ保持部および位置決め突起を有するが、このネジ保持部および位置決め突起は、上記の端部１０４のネジ保持部１０２および位置決め突起１４０と同一の構成を有するため説明を省略する。
【００１９】
端部１０４は、タッピングネジ２００が挿入される方向に沿った順に（図３の向きにおける上から順に）、第１のネジ受け部１１０、第２のネジ受け部１２０および第３のネジ受け部１３０を有する。第１のネジ受け部１１０は、メインフレーム１００から突出して円弧状に押し曲げられている。また、第２のネジ受け部１２０は、メインフレーム１００の端部１０４における第１のネジ受け部１１０の裏面１１２側に円弧状に突出して押し曲げられている。さらに、第３のネジ受け部１３０は、第１のネジ受け部１１０と同じ側へ向けて円弧状に突出して押し曲げられている。
【００２０】
図４は、端部１０４を被記録物の搬送方向に垂直な平面で切った断面図である。端部１０４に配されたネジ保持部１０２において、第１のネジ受け部１１０の円弧の内径は、第２のネジ受け部１２０および第３のネジ受け部１３０の円弧の内径よりも大きい。すなわち、第１のネジ受け部１１０の内面１１４は、端部１０４の垂直方向について、第３のネジ受け部１３０の内面１３４よりも離れた位置にある。図４に示す実施形態において、第１のネジ受け部１１０の内面１１４は、タッピングネジ２００のネジ山の高さ分だけ第３のネジ受け部１３０の内面１３４よりも端部１０４の面に対して離れた位置に配されている。また、第２のネジ受け部１２０の円弧の内径は、第３のネジ受け部１３０の円弧の内径と略同一である。しかしながら、第２のネジ受け部１２０の円弧の内径は、第１のネジ受け部１１０の円弧の内径よりも小さく、第３のネジ受け部１３０の円弧の内径よりも大きくてもよい。さらに、図４に示す実施形態において、第１のネジ受け部１１０の内面１１４、第２のネジ受け部１２０の内面１２４および第３のネジ受け部１３０の内面１３４はいずれもネジ溝が切られておらず、平滑な円弧面となっている。なお、図４における矢印Ｂは後述するタッピングネジ２００がねじ込まれる方向を示す。
【００２１】
図５は、メインフレーム１００およびこのメインフレーム１００に排紙フレーム３００が取り付けられた状態を示す斜視図である。図６は、図５において端部１０４の一部Ｃを拡大した拡大斜視図である。排紙フレーム３００は、本発明における天板の一例であり、略板状の板金である。排紙フレーム３００の両端におけるメインフレーム１００の端部１０４、１０６のネジ保持部１０２に対応した位置に、ネジ孔３２０がそれぞれ設けられている。また、排紙フレーム３００の両端には、ネジ孔３２０に隣接した位置に、位置決め孔３１０がそれぞれ設けられている。なお図５および図６は、説明を簡略にするため、タッピングネジ２００を省略して示している。
【００２２】
排紙フレーム３００は、キャリッジ２０を支持する水平面を構成すべく、メインフレーム１００に対して垂直に取り付けられる。この場合に、排紙フレーム３００の両端において位置決め孔３１０にメインフレーム１００の位置決め突起１４０が挿入されて、排紙フレーム３００の両端がメインフレーム１００の端部１０４、１０６に対して位置決めされる。これにより、排紙フレーム３００のネジ孔３２０が端部１０４と重なった位置に配される。
【００２３】
図７は、排紙フレーム３００が取り付けられた端部１０４を被記録物の搬送方向に垂直な平面で切った断面図である。図７に示すように、端部１０４と重なった位置に配された排紙フレーム３００のネジ孔３２０にタッピングネジ２００が螺合される。図７に示す実施形態において、タッピングネジ２００は、ネジ孔３２０並びにネジ保持部１０２の第１のネジ受け部１１０、第２のネジ受け部１２０および第３のネジ受け部１３０に回転されながら挿入される。この場合に、第１のネジ受け部１１０が設けられているため、まずタッピングネジ２００のネジ山が第１のネジ受け部１１０の内面１１４に当接して案内されつつ、図７の下方（図４の矢印Ｂの方向）に挿入され、次に、タッピングネジ２００の先端が第２のネジ受け部１２０の内面１２４に当接する。さらにタッピングネジ２００がねじ込まれることにより、タッピングネジ２００が第２のネジ受け部１２０の内面１２４にネジ溝を切りつつこれと螺合する。さらにタッピングネジ２００がねじ込まれることにより、タッピングネジ２００の先端が第３のネジ受け部１３０の内面１３４と当接し、その後、タッピングネジ２００が内面１３４にネジ溝を切りつつこれと螺合する。以上により、図７に示すように、タッピングネジ２００は排紙フレーム３００を端部１０４においてメインフレーム１００に対して垂直に固定する。これにより、メインフレーム１００の一部を垂直に曲げた支持面を設けて排紙フレーム３００をネジ留めにより支持する場合に比べ、メインフレーム１００に対して排紙フレーム３００をより精度よく垂直に取り付けることができる。
【００２４】
この場合に、第１のネジ受け部１１０の内径が第２のネジ受け部１２０および第３のネジ受け部１３０の内径よりも大きいので、タッピングネジ２００がネジ保持部１０２に挿入される場合に第１のネジ受け部１１０がタッピングネジ２００をガイドし、タッピングネジ２００をメインフレーム１００の端部１０４の面方向に対して平行に立てることができる。
【００２５】
タッピングネジ２００がネジ保持部１０２にねじ込まれる場合に、第１のネジ受け部１１０の内面１１４はタッピングネジ２００によりほとんどネジ溝が切られない。しかしながら、内面１１４は第２のネジ受け部１２０の内面１２４および第３のネジ受け部１３０の内面１３４よりもタッピングネジ２００のネジ山の分だけ外側に位置するので、タッピングネジ２００のネジ山と内面１１４が当接することにより、タッピングネジ２００がネジ保持部１０２において直立する。
【００２６】
また、メインフレーム１００の板厚が薄い場合でも、従来のようにメインフレーム１００においてタッピングネジ２００が挿入される方向に沿った切り欠きにより円周方向において互いに離間して設けられているネジ保持部に比べて、ネジ保持部１０２においてタッピングネジ２００により排紙フレーム３００をより強く締め付けることができる。
【００２７】
ここで、図７に示すように、タッピングネジ２００が挿入される方向について、第２のネジ受け部１２０がタッピングネジ２００と噛み合っている幅は、タッピングネジ２００が挿入される方向について、第１のネジ受け部１１０がタッピングネジ２００と噛み合っている幅、および、第３のネジ受け部１３０がタッピングネジ２００と噛み合っている幅の合計に略等しく設定される。すなわち、図７に示す実施形態において、第２のネジ受け部１２０における上下方向の長さは、第１のネジ受け部１１０における上下方向の長さおよび第３のネジ受け部１３０における上端から図中の一点鎖線までの長さの合計に略等しい。これにより、ネジ保持部１０２に螺合されたタッピングネジ２００にかかる力を均等にして、ネジ保持部１０２に螺合されたネジをメインフレーム１００の端部１０４の面方向に対して平行に保持することができる。
【００２８】
また、ネジ保持部１０２の第２のネジ受け部１２０および第３のネジ受け部１３０は、タッピングネジ２００がねじ込まれることによりネジ溝が切られるので、第２のネジ受け部１２０および第３のネジ受け部１３０にあらかじめネジ溝を加工することなく、タッピングネジ２００をメインフレーム１００の端部１０４の面方向に平行に立てて螺合することができる。
【００２９】
図８は、他の第３のネジ受け部１３０を有するネジ保持部１０２の断面図である。図８のネジ保持部１０２において、第３のネジ受け部１３０は、第１のネジ受け部１１０に近い側が、端部１０４から大きく突出して押し曲げられることにより、端部１０４に対して傾いている。これにより、ネジ保持部１０２からの力を受けてタッピングネジ２００が曲がる方向に沿ってネジ保持部１０２が配されているので、ネジ保持部１０２に螺合されたタッピングネジ２００を端部１０４の面方向に対して平行に保持することができる。なお、図８において図４と同一の構成には同一の参照番号を付し、説明を省略する。
【００３０】
以上、本実施形態によれば、インクジェット式記録装置１０に上記メインフレーム１００および排紙フレーム３００が用いられることにより、インクジェット式記録装置１０において排紙フレーム３００をメインフレーム１００に対して精度よく垂直に取り付けることができる。よって、インクジェット式記録装置１０においてキャリッジ２０が排紙フレーム３００に支持されて往復運動する場合に、キャリッジ２０に設けられた記録ヘッド３０と記録領域に配された被記録物との鉛直方向の距離を一定に保つことができ、記録ヘッド３０が被記録物に正確に記録をすることができる。
【００３１】
なお、上記実施形態において、第１のネジ受け部１１０は、メインフレーム１００から円弧状に突出して設けられている。しかしながら第１のネジ受け部１１０の形状はこれに限られず、他の例として、第１のネジ受け部１１０は、メインフレーム１００から多角形に突出して設けられていてもよい。
【００３２】
また、上記実施形態において、ネジ保持部１０２における第１のネジ受け部１１０の円弧の内径は、第２のネジ受け部１２０および第３のネジ受け部１３０の円弧の内径よりも大きい。しかしながら、第１のネジ受け部１１０の円弧の内径を第２のネジ受け部１２０および第３のネジ受け部１３０の円弧の内径と略同一にすると共に、第１のネジ受け部１１０が第２のネジ受け部１２０および１３０よりもメインフレーム１００から大きく突出して押し曲げられていてもよい。これにより、上記実施形態と同様の効果を得ることができる。
【００３３】
ここで、本実施形態のインクジェット式記録装置１０は、本発明の液体噴射装置の一例である。また、インクジェット式記録装置１０の記録ヘッド３０は、液体噴射装置の液体噴射ヘッドの一例である。しかしながら、本発明はこれらに限られない。液体噴射装置の他の例は、液晶ディスプレイのカラーフィルタを製造するカラーフィルタ製造装置である。この場合、カラーフィルタ製造装置の色材噴射ヘッドが液体噴射ヘッドの一例である。液体噴射装置のさらに他の例は、有機ＥＬディスプレイ、ＦＥＤ（面発光ディスプレイ）等の電極を形成する電極形成装置である。この場合、電極形成装置の電極材（電導ペースト）噴射ヘッドが液体噴射ヘッドの一例である。液体噴射装置のさらに他の例は、バイオチップを製造するバイオチップ製造装置である。この場合、バイオチップ製造装置の生体有機物噴射ヘッドおよび精密ピペットとしての試料噴射ヘッドが液体噴射ヘッドの一例である。本発明の液体噴射装置は、産業用途を有するその他の液体噴射装置も含む。また被記録物とは、液体が噴射されることにより記録または印刷が行われる物であり、例えば記録用紙、ディスプレイの電極等の回路パターンが印刷される回路基板、ラベルが印刷されるＣＤ−ＲＯＭ、ＤＮＡ回路が印刷されるプレパラートが含まれる。
【００３４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００３５】
【図１】本発明の実施形態に係るインクジェット式記録装置１０の斜視図である。
【図２】メインフレーム１００の斜視図である。
【図３】図２の端部１０４の一部Ａを拡大した拡大斜視図である。
【図４】端部１０４を被記録物の搬送方向に垂直な平面で切った断面図である。
【図５】メインフレーム１００およびこのメインフレーム１００に排紙フレーム３００が取り付けられた状態を示す斜視図である。
【図６】図５において端部１０４の一部Ｃを拡大した拡大斜視図である。
【図７】排紙フレーム３００が取り付けられた端部１０４を被記録物の搬送方向に垂直な平面で切った断面図である。
【図８】他の第３のネジ受け部１３０を有するネジ保持部１０２の断面図である。
【符号の説明】
【００３６】
１０  インクジェット式記録装置、２０  キャリッジ、３０  記録ヘッド、４０  タイミングベルト、５０  搬送部、６０  載置トレイ、１００  メインフレーム、１０２  ネジ保持部、１０４  端部、１１０  第１のネジ受け部、１１２  裏面、１１４  内面、１２０  第２のネジ受け部、１２４  内面、１３０  第３のネジ受け部、１３４  内面、１４０  位置決め突起、２００  タッピングネジ、３００  排紙フレーム、３１０  位置決め孔、３２０  ネジ孔
【図１】
2005090652.tif 000003
【図２】
2005090652.tif 000004
【図３】
2005090652.tif 000005
【図４】
2005090652.tif 000006
【図５】
2005090652.tif 000007
【図６】
2005090652.tif 000008
【図７】
2005090652.tif 000009
【図８】
2005090652.tif 000010